Podtech/llm-jp-corpus-v4-ja_patent huggingface dataset:
【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
１ゲームに対して所定数の賭数を設定することによりゲームが開始可能となると共に、表示態様を変化させることが可能な可変表示装置の表示結果が導出表示されることにより１ゲームが終了し、該可変表示装置の表示結果に応じて入賞が発生可能とされた遊技機であって、
メダル投入口から投入されたメダルを前記賭数の設定に用いるために取り込むための取込経路と、
前記取込経路において配置された第１投入メダルセンサ、及び前記第１投入メダルセンサよりも前記取込経路における下流側に配置された第２投入メダルセンサと、
前記第１投入メダルセンサと前記第２投入メダルセンサによるメダルの検出態様が正常である場合にメダルが投入されたことを判定する投入判定手段と、
前記賭数が前記所定数に満たない状態において前記投入判定手段によりメダルが投入されたと判定されたことに応じて、前記賭数を増加させる処理を行う投入メダルベット処理手段と、
クレジットとして貯留されているメダルが前記所定数の賭数の設定に用いられるように指示するためのマックスベット操作手段と、
前記マックスベット操作手段に対する操作に基づき、前記クレジットとして貯留されているメダル数が許容する範囲内において、前記賭数を前記所定数に達するまで増加させるためのマックスベット処理を行うマックスベット処理手段と、
メダルがあと１枚取り込まれるとメダルの受付が禁止される受付禁止前状態において、前記第１又は第２投入メダルセンサの何れかがメダルを検出中である場合には前記マックスベット処理を無効とする一方で、前記受付禁止前状態以外の状態で、前記第１又は第２投入メダルセンサの何れかがメダルを検出中において前記マックスベット操作手段が操作された場合は、前記投入判定手段により該メダルが投入されたと判定されてから、前記マックスベット処理を有効とするマックスベット処理制御手段と、を備える
遊技機。
【手続補正２】
【補正対象書類名】明細書
【補正対象項目名】０００６
【補正方法】変更
【補正の内容】
【０００６】
本発明に係る遊技機は、１ゲームに対して所定数の賭数を設定することによりゲームが開始可能となると共に、表示態様を変化させることが可能な可変表示装置の表示結果が導出表示されることにより１ゲームが終了し、該可変表示装置の表示結果に応じて入賞が発生可能とされた遊技機であって、メダル投入口から投入されたメダルを前記賭数の設定に用いるために取り込むための取込経路と、
前記取込経路において配置された第１投入メダルセンサ、及び前記第１投入メダルセンサよりも前記取込経路における下流側に配置された第２投入メダルセンサと、前記第１投入メダルセンサと前記第２投入メダルセンサによるメダルの検出態様が正常である場合にメダルが投入されたことを判定する投入判定手段と、前記賭数が前記所定数に満たない状態において前記投入判定手段によりメダルが投入されたと判定されたことに応じて、前記賭数を増加させる処理を行う投入メダルベット処理手段と、クレジットとして貯留されているメダルが前記所定数の賭数の設定に用いられるように指示するためのマックスベット操作手段と、前記マックスベット操作手段に対する操作に基づき、前記クレジットとして貯留されているメダル数が許容する範囲内において、前記賭数を前記所定数に達するまで増加させるためのマックスベット処理を行うマックスベット処理手段と、メダルがあと１枚取り込まれるとメダルの受付が禁止される受付禁止前状態において、前記第１又は第２投入メダルセンサの何れかがメダルを検出中である場合には前記マックスベット処理を無効とする一方で、前記受付禁止前状態以外の状態で、前記第１又は第２投入メダルセンサの何れかがメダルを検出中において前記マックスベット操作手段が操作された場合は、前記投入判定手段により該メダルが投入されたと判定されてから、前記マックスベット処理を有効とするマックスベット処理制御手段と、を備える。
【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
１ゲームに対して所定数の賭数を設定することによりゲームが開始可能となると共に、表示態様を変化させることが可能な可変表示装置の表示結果が導出表示されることにより１ゲームが終了し、該可変表示装置の表示結果に応じて入賞が発生可能とされた遊技機であって、
メダル投入口から投入されたメダルを前記賭数の設定に用いるために取り込むための取込経路と、
前記メダル投入口から投入されたメダルを返却するための返却経路と、
前記取込経路において配置された第１投入メダルセンサ、及び前記第１投入メダルセンサよりも前記取込経路における下流側に配置された第２投入メダルセンサと、
前記メダル投入口から投入されたメダルの流下経路を、前記返却経路または前記取込経路のいずれかの流下経路に切り替える流路切替手段と、
前記メダル投入口を介して取り込まれクレジットとして貯留されているメダルが前記賭数の設定に用いられるように指示するためのベット操作手段と、
前記ベット操作手段に対する操作に基づき、クレジットとして貯留されているメダル数が許容する範囲内において、前記賭数を増加させるためのベット処理を行うベット処理手段と、
メダルがあと１枚取り込まれるとメダルの受付が禁止される受付禁止前状態において、前記第１又は第２投入メダルセンサの何れかがメダルを検出中である場合には前記ベット処理を無効とするベット処理制御手段と、
前記受付禁止前状態において、前記第１又は第２投入メダルセンサの何れかがメダルを検出中である場合には、前記流下経路を前記返却経路に切り替える流路切替制御手段と、を備える
遊技機。
【手続補正２】
【補正対象書類名】明細書
【補正対象項目名】０００６
【補正方法】変更
【補正の内容】
【０００６】
本発明に係る遊技機は、１ゲームに対して所定数の賭数を設定することによりゲームが開始可能となると共に、表示態様を変化させることが可能な可変表示装置の表示結果が導出表示されることにより１ゲームが終了し、該可変表示装置の表示結果に応じて入賞が発生可能とされた遊技機であって、メダル投入口から投入されたメダルを前記賭数の設定に用いるために取り込むための取込経路と、前記メダル投入口から投入されたメダルを返却するための返却経路と、前記取込経路において配置された第１投入メダルセンサ、及び前記第１投入メダルセンサよりも前記取込経路における下流側に配置された第２投入メダルセンサと、前記メダル投入口から投入されたメダルの流下経路を、前記返却経路または前記取込経路のいずれかの流下経路に切り替える流路切替手段と、前記メダル投入口を介して取り込まれクレジットとして貯留されているメダルが前記賭数の設定に用いられるように指示するためのベット操作手段と、前記ベット操作手段に対する操作に基づき、クレジットとして貯留されているメダル数が許容する範囲内において、前記賭数を増加させるためのベット処理を行うベット処理手段と、メダルがあと１枚取り込まれるとメダルの受付が禁止される受付禁止前状態において、前記第１又は第２投入メダルセンサの何れかがメダルを検出中である場合には前記ベット処理を無効とするベット処理制御手段と、前記受付禁止前状態において、前記第１又は第２投入メダルセンサの何れかがメダルを検出中である場合には、前記流下経路を前記返却経路に切り替える流路切替制御手段と、を備える。
【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
１ゲームに対して所定数の賭数を設定することによりゲームが開始可能となると共に、表示態様を変化させることが可能な可変表示装置の表示結果が導出表示されることにより１ゲームが終了し、該可変表示装置の表示結果に応じて入賞が発生可能とされた遊技機であって、
メダル投入口から投入されたメダルを前記賭数の設定に用いるために取り込むための取込経路と、
前記取込経路において配置された第１投入メダルセンサ、及び前記第１投入メダルセンサよりも前記取込経路における下流側に配置された第２投入メダルセンサと、
前記第１投入メダルセンサと前記第２投入メダルセンサによるメダルの検出態様が正常である場合にメダルが投入されたことを判定する投入判定手段と、
前記賭数が前記所定数に満たない状態において前記投入判定手段によりメダルが投入されたと判定されたことに応じて、前記賭数を増加させる処理を行う投入メダルベット処理手段と、
クレジットとして貯留されているメダルが前記所定数の賭数の設定に用いられるように指示するためのマックスベット操作手段と、
前記マックスベット操作手段に対する操作に基づき、前記クレジットとして貯留されているメダル数が許容する範囲内において、前記賭数を前記所定数に達するまで増加させるためのマックスベット処理を行うマックスベット処理手段と、を備え、
前記投入メダルベット処理手段は、
前記マックスベット処理手段が前記マックスベット処理を実行中においても前記メダル投入口を介したメダルの投入受け付けを有効とし、
前記マックスベット処理手段は、
前記マックスベット処理を実行中に前記第１投入メダルセンサがメダルを検出したときに前記マックスベット処理を中断し、前記投入判定手段により該メダルが投入されたと判定されてから前記マックスベット処理を再開する
遊技機。
【請求項２】
前記マックスベット処理手段は、
前記中断の間に前記賭数が前記所定数に至った場合は前記マックスベット処理を終了し、
前記中断の間にメダルが正常に通過せずエラーが発生した場合は、エラーの解除に応じて前記マックスベット処理を再開する
請求項１に記載の遊技機。
【手続補正２】
【補正対象書類名】明細書
【補正対象項目名】０００６
【補正方法】変更
【補正の内容】
【０００６】
本発明に係る遊技機は、１ゲームに対して所定数の賭数を設定することによりゲームが開始可能となると共に、表示態様を変化させることが可能な可変表示装置の表示結果が導出表示されることにより１ゲームが終了し、該可変表示装置の表示結果に応じて入賞が発生可能とされた遊技機であって、メダル投入口から投入されたメダルを前記賭数の設定に用いるために取り込むための取込経路と、前記取込経路において配置された第１投入メダルセンサ、及び前記第１投入メダルセンサよりも前記取込経路における下流側に配置された第２投入メダルセンサと、前記第１投入メダルセンサと前記第２投入メダルセンサによるメダルの検出態様が正常である場合にメダルが投入されたことを判定する投入判定手段と、前記賭数が前記所定数に満たない状態において前記投入判定手段によりメダルが投入されたと判定されたことに応じて、前記賭数を増加させる処理を行う投入メダルベット処理手段と、クレジットとして貯留されているメダルが前記所定数の賭数の設定に用いられるように指示するためのマックスベット操作手段と、前記マックスベット操作手段に対する操作に基づき、前記クレジットとして貯留されているメダル数が許容する範囲内において、前記賭数を前記所定数に達するまで増加させるためのマックスベット処理を行うマックスベット処理手段と、を備え、前記投入メダルベット処理手段は、前記マックスベット処理手段が前記マックスベット処理を実行中においても前記メダル投入口を介したメダルの投入受け付けを有効とし、前記マックスベット処理手段は、前記マックスベット処理を実行中に前記第１投入メダルセンサがメダルを検出したときに前記マックスベット処理を中断し、前記投入判定手段により該メダルが投入されたと判定されてから前記マックスベット処理を再開するものである。
また前記マックスベット処理手段は、前記中断の間に前記賭数が前記所定数に至った場合は前記マックスベット処理を終了し、前記中断の間にメダルが正常に通過せずエラーが発生した場合は、エラーの解除に応じて前記マックスベット処理を再開することも考えられる。
【手続補正書】
【提出日】平成30年9月4日(2018.9.4)
【手続補正１】
【補正対象書類名】特許請求の範囲
【補正対象項目名】全文
【補正方法】変更
【補正の内容】
【特許請求の範囲】
【請求項１】
所定条件の成立により遊技情報を取得する取得手段と、
前記取得手段によって取得された前記遊技情報に基づいて、遊技者にとって有利な特別遊技を行うか否かを判定する判定手段と、
画像を表示する画像表示部と、
前記判定手段の判定結果に基づいて、前記画像表示部にて、第１の図柄、第２の図柄および第３の図柄を含む複数の図柄を変動表示させた後に前記判定結果を表す態様の複数の図柄で停止表示させる図柄制御手段と、
を備え、
前記第１の図柄および前記第２の図柄が揃えられた状態にて前記第３の図柄の変化が行われる際に、前記第３の図柄を狭める演出を実行可能な遊技機。
【手続補正２】
【補正対象書類名】明細書
【補正対象項目名】０００４
【補正方法】変更
【補正の内容】
【０００４】
ところで、従来にない演出を実現することができれば、遊技の興趣性をさらに高めることが可能になる。
本発明は、遊技機の興趣性を高めることを目的とする。
【手続補正３】
【補正対象書類名】明細書
【補正対象項目名】０００５
【補正方法】変更
【補正の内容】
【０００５】
上記の目的を達成する本発明は、次のような遊技機として実現される。この遊技機（例えば、パチンコ遊技機１００）は、所定条件の成立により遊技情報を取得する取得手段（例えば、乱数取得部２３１）と、前記取得手段（例えば、乱数取得部２３１）によって取得された前記遊技情報に基づいて、遊技者にとって有利な特別遊技を行うか否かを判定する判定手段（例えば、特別図柄判定部２３４）と、画像を表示する画像表示部（例えば、画像表示部１１４）と、前記判定手段（例えば、特別図柄判定部２３４）の判定結果に基づいて、前記画像表示部（例えば、画像表示部１１４）にて、第１の図柄、第２の図柄および第３の図柄を含む複数の図柄（例えば、装飾図柄４１）を変動表示させた後に前記判定結果を表す態様の複数の図柄（例えば、装飾図柄４１）で停止表示させる図柄制御手段（例えば、演出制御部３００）と、を備え、前記第１の図柄および前記第２の図柄が揃えられた状態にて前記第３の図柄の変化が行われる際に、前記第３の図柄を狭める演出を実行可能な遊技機である。
【手続補正４】
【補正対象書類名】明細書
【補正対象項目名】０００７
【補正方法】変更
【補正の内容】
【０００７】
本発明によれば、遊技機の興趣性を高めることが可能になる。
【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
更新範囲内の値をカウンタ値として循環させて乱数を生成する第１乱数生成手段と、
更新範囲内の値をカウンタ値として循環させて乱数を生成し、前記第１乱数生成手段とは異なる第２乱数生成手段と、
未だ開始されていない可変表示に関する情報を保留情報として記憶可能な保留記憶手段と、
前記保留記憶手段に記憶されている保留情報に対応した保留表示を表示する保留表示手段と、
前記保留情報に基づいて、前記有利状態に制御するか否かを決定する決定手段と、
前記決定手段による決定前に、前記有利状態に制御されるか否かを判定する判定手段とを備え、
前記保留表示の表示態様として、通常態様と、特殊態様と、特別態様とを含み、
前記判定手段の判定結果に基づいて、保留表示を特別態様で表示する保留予告演出を実行可能な演出実行手段と、
保留表示の表示態様が変化することを示唆する示唆演出を実行する示唆演出実行手段をさらに備え、
前記示唆演出実行手段は、保留表示が特殊態様で表示されているときには、保留表示が特殊態様で表示されていないときに比べて高い頻度で示唆演出を実行する
ことを特徴とする遊技機。
【手続補正２】
【補正対象書類名】明細書
【補正対象項目名】０００９
【補正方法】変更
【補正の内容】
【０００９】
（手段Ａ）本発明による遊技機は、可変表示を行い、遊技者にとって有利な有利状態に制御可能な遊技機であって、更新範囲内の値をカウンタ値として循環させて乱数を生成する第１乱数生成手段と、更新範囲内の値をカウンタ値として循環させて乱数を生成し、前記第１乱数生成手段とは異なる第２乱数生成手段と、未だ開始されていない可変表示に関する情報を保留情報として記憶可能な保留記憶手段と、前記保留記憶手段に記憶されている保留情報に対応した保留表示を表示する保留表示手段と、前記保留情報に基づいて、前記有利状態に制御するか否かを決定する決定手段と、前記決定手段による決定前に、前記有利状態に制御されるか否かを判定する判定手段とを備え、前記保留表示の表示態様として、通常態様と、特殊態様と、特別態様とを含み、前記判定手段の判定結果に基づいて、保留表示を特別態様で表示する保留予告演出を実行可能な演出実行手段と、保留表示の表示態様が変化することを示唆する示唆演出を実行する示唆演出実行手段をさらに備え、前記示唆演出実行手段は、保留表示が特殊態様で表示されているときには、保留表示が特殊態様で表示されていないときに比べて高い頻度で示唆演出を実行することを特徴とする。
（手段１）手段１の遊技機は、識別情報の可変表示（例えば、第１特別図柄や第２特別図柄、演出図柄の変動表示）を行い、可変表示の表示結果としてあらかじめ定められた特定表示結果（例えば、大当り図柄）が導出表示されたときに遊技者にとって有利な特定遊技状態（例えば、大当り遊技状態）に制御可能な遊技機であって、予め定められた発射周期（例えば、発射周期＝（Ｎ×Ｃ）／Ｆで表される。Ｆ＝水晶発振子の発振周波数、Ｃ＝分周回路の分周比、Ｎ＝パルスモータを１回転させるのに必要なパスル数）で遊技媒体（遊技球）を発射可能な発射手段（例えば、打球発射装置および発射制御装置）と、更新範囲内の値をカウンタ値として循環させて乱数を生成する乱数生成手段（例えば、ハードウェア乱数（ハードウェア回路が発生する乱数）を発生する乱数回路５０３）とを備え、遊技媒体の発射周期とカウンタ値の更新周期とが同期する迄の間隔が、識別情報の可変表示が行なわれる最長期間よりも長くなるように設定され（例えば、乱数の更新周期と遊技球の発射周期とが同期する迄の間隔を、変動表示が行なわれる最長期間（例えば、擬似連３スーパー当りの４０秒）よりも長くなるように設定するため、発射周期を決定する発射制御装置に使用する水晶発振子の発振周波数Ｆを、乱数の更新周期に応じて選択する）、未だ開始されない識別情報の可変表示について保留表示として表示する保留表示手段（例えば、合算保留記憶表示部１８ｃ）と、未だ開始されない可変表示の表示結果が特定表示結果となるか否かを判定する特定判定手段（例えば、遊技制御用マイクロコンピュータ５６０がステップＳ１２１７，Ｓ１２２８を実行する部分）とを備え、保留表示の表示態様は、通常態様（本例では「○」：図４２（Ａ）参照）と、該通常態様とは異なる態様である特殊態様（本例では「○」の外側に６本の線が描かれている：図４３（Ｂ）参照）と、該通常態様および該特殊態様とは異なる態様である特別態様（本例では「○」内に「×」が含まれる：図４２（Ｂ１）参照、「○」内に「×」が２つ含まれる：図４２（Ｂ２）参照）とを含み、特定判定手段の判定結果に応じて、異なる割合で該特定判定手段の判定対象となった未だ開始されない識別情報の可変表示に対応する保留表示を特別態様で表示する保留予告演出（例えば、先読み演出）を実行可能な演出実行手段（例えば、演出制御用マイクロコンピュータ１００がステップＳ６７１０６，Ｓ６７１１４，Ｓ１８１３，Ｓ１８４５等を実行する部分。図２９（Ｂ）参照）をさらに備え、演出実行手段は、複数のタイミング（例えば、始動入賞のタイミングや、任意のシフトタイミング、他の任意のタイミングなど）で保留表示を特別態様に変化させて表示することが可能であり、通常態様の保留表示が変化することを示唆する演出と、特殊態様の保留表示が変化することを示唆する演出とを実行可能な示唆演出実行手段（例えば、演出制御用マイクロコンピュータ１００がステップＳ６７１１１０，Ｓ６７１１５，Ｓ１８０６，Ｓ１８１３，Ｓ１８４５等を実行する部分）をさらに備え、示唆演出実行手段は、保留表示が特殊態様で表示されているときには、保留表示が特殊態様で表示されていないときに比べて高い頻度で演出を実行する（例えば、演出制御用マイクロコンピュータ１００がステップＳ１８０６等を実行する部分。図３５（Ａ），（Ｂ）参照）ことを特徴とする。
【手続補正書】
【提出日】平成29年12月22日(2017.12.22)
【手続補正１】
【補正対象書類名】特許請求の範囲
【補正対象項目名】全文
【補正方法】変更
【補正の内容】
【特許請求の範囲】
【請求項１】
装飾識別情報の変動表示を実行し、遊技者にとって有利な有利状態に制御可能な遊技機であって、
前記有利状態に制御するか否かを決定する決定手段と、
前記決定手段の決定結果に基づいて装飾識別情報の表示結果を導出表示する導出表示制御手段と、
装飾識別情報の変動表示が開始されてから表示結果が導出表示されるまでに仮停止させた後に変動表示を再開させる特定演出を実行する特定演出実行手段と、
前記特定演出の実行を示唆する示唆演出を実行する示唆演出実行手段とを備え、
前記示唆演出として、装飾識別情報を特定態様とする演出を含み、
前記特定演出実行手段は、前記決定手段が前記有利状態に制御すると決定したときには前記有利状態に制御しないと決定したときよりも、装飾識別情報の変動表示における前記特定演出の繰返し実行回数が多くなるように前記特定演出を実行し、
前記特定演出の実行後に前記示唆演出が実行されてリーチ演出が実行される場合には、前記特定演出の実行後に前記示唆演出が実行されることなくリーチ演出が実行される場合と比較して、特定リーチ演出に発展する割合が低い、遊技機。
【手続補正２】
【補正対象書類名】明細書
【補正対象項目名】０００７
【補正方法】変更
【補正の内容】
【０００７】
（Ａ）  装飾識別情報の変動表示を実行し、遊技者にとって有利な有利状態に制御可能な遊技機であって、
前記有利状態に制御するか否かを決定する決定手段と、
前記決定手段の決定結果に基づいて装飾識別情報の表示結果を導出表示する導出表示制御手段と、
装飾識別情報の変動表示が開始されてから表示結果が導出表示されるまでに仮停止させた後に変動表示を再開させる特定演出を実行する特定演出実行手段と、
前記特定演出の実行を示唆する示唆演出を実行する示唆演出実行手段とを備え、
前記示唆演出として、装飾識別情報を特定態様とする演出を含み、
前記特定演出実行手段は、前記決定手段が前記有利状態に制御すると決定したときには前記有利状態に制御しないと決定したときよりも、装飾識別情報の変動表示における前記特定演出の繰返し実行回数が多くなるように前記特定演出を実行し、
前記特定演出の実行後に前記示唆演出が実行されてリーチ演出が実行される場合には、前記特定演出の実行後に前記示唆演出が実行されることなくリーチ演出が実行される場合と比較して、特定リーチ演出に発展する割合が低い。
（１）  識別情報（特別図柄、演出図柄）の変動表示を実行し、特定表示結果（大当り表示結果）が導出表示されたときに遊技者にとって有利な特定遊技状態（大当り遊技状態）に制御する遊技機（パチンコ遊技機１）であって、
前記識別情報の変動表示が開始されてから表示結果が導出表示されるまでに前記識別情報（擬似連出目）の変動表示を仮停止させた後に変動表示を再開させる特定演出（擬似連再変動演出）を実行する特定演出実行手段（演出制御用マイクロコンピュータ１００、図９のＳ６０，Ｓ７１）と、
前記特定演出の実行を示唆する成功結果（擬似連出目）と前記特定演出の非実行を示唆する失敗結果（リーチ目（リーチ図柄））とのいずれかを示す示唆演出（成功・失敗示唆演出）を実行する示唆演出実行手段（演出制御用マイクロコンピュータ１００、図１８のＳ８０１，Ｓ８０２、図１９のＳ５０７〜Ｓ５１１）と、
前記示唆演出の実行前に所定の識別情報の態様を変化させることにより、前記示唆演出が前記成功結果となることを示唆する識別情報変化演出（図柄変化演出）を実行する識別情報変化演出実行手段（演出制御用マイクロコンピュータ１００、図１８のＳ８０１，Ｓ８０２、図１９のＳ５０７〜Ｓ５１１）と、
前記識別情報変化演出の実行に先立って、該識別情報変化演出の実行を示唆する識別情報変化示唆演出（図柄変化示唆演出）を実行する識別情報変化示唆演出手段（演出制御用マイクロコンピュータ１００、図１８のＳ８０１，Ｓ８０２、図１９のＳ５０７〜Ｓ５１１）とを備え、
前記識別情報変化示唆演出手段は、所定表示を用いて前記識別情報変化示唆演出を実行し、
前記識別情報変化演出実行手段は、前記所定表示を用いて前記識別情報変化演出を実行する。
【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
データ記憶手段に記憶された一群の原音データに基づいて、単位演出を再生する複数の再生チャンネル、各再生チャンネルの再生動作を規定する動作パラメータを記憶可能な一群の音声制御レジスタ、及び、前記データ記憶手段に記憶された一群の制御データを読み出して音声制御レジスタへの設定動作を実行可能な第１設定コントローラ及び第２設定コントローラと、を有する音声合成手段と、
所定の音声制御レジスタに、所定の動作パラメータを直接的に設定するか、又は音声合成手段に設定させることで、一又は複数の再生チャンネルの動作を制御して、一又は複数の単位演出による音声演出を実現する演出制御手段と、を設けた遊技機であって、
前記一群の制御データは、音声制御レジスタを特定するレジスタアドレスと、その音声制御レジスタへの設定値とを対応させ、所定の終了コードで終端され、所定の識別番号で特定されるよう構成され、
第１設定コントローラと第２設定コントローラは、音声制御レジスタに含まれる特定の特殊レジスタに、前記識別番号を含んだ所定の開始指示が設定されると、前記一群の制御データに対応する設定動作を実行するよう構成されており、
前記再生チャンネルには、遊技状態に応じて使用チャンネル数が増加する演出チャンネルが含まれており、前記演出チャンネルの再生動作は、前記特定の特殊レジスタに、前記開始指示が設定されることで開始されるよう構成されていることを特徴とする遊技機。
【手続補正２】
【補正対象書類名】明細書
【補正対象項目名】０００７
【補正方法】変更
【補正の内容】
【０００７】
しかし、複雑・高度で斬新な音声演出を、容易かつ確実に、実現できる構成が望まれる。
【手続補正３】
【補正対象書類名】明細書
【補正対象項目名】０００８
【補正方法】変更
【補正の内容】
【０００８】
本発明は、上記の問題に鑑みてなされたものであって、斬新な音声演出を円滑に実現できる遊技機を提供することを課題とする。
【手続補正４】
【補正対象書類名】明細書
【補正対象項目名】０００９
【補正方法】変更
【補正の内容】
【０００９】
上記の課題を解決するため、本発明は、データ記憶手段に記憶された一群の原音データに基づいて、単位演出を再生する複数の再生チャンネル、各再生チャンネルの再生動作を規定する動作パラメータを記憶可能な一群の音声制御レジスタ、及び、前記データ記憶手段に記憶された一群の制御データを読み出して音声制御レジスタへの設定動作を実行可能な第１設定コントローラ及び第２設定コントローラと、を有する音声合成手段と、所定の音声制御レジスタに、所定の動作パラメータを直接的に設定するか、又は音声合成手段に設定させることで、一又は複数の再生チャンネルの動作を制御して、一又は複数の単位演出による音声演出を実現する演出制御手段と、を設けた遊技機であって、前記一群の制御データは、音声制御レジスタを特定するレジスタアドレスと、その音声制御レジスタへの設定値とを対応させ、所定の終了コードで終端され、所定の識別番号で特定されるよう構成され、第１設定コントローラと第２設定コントローラは、音声制御レジスタに含まれる特定の特殊レジスタに、前記識別番号を含んだ所定の開始指示が設定されると、前記一群の制御データに対応する設定動作を実行するよう構成されており、前記再生チャンネルには、遊技状態に応じて使用チャンネル数が増加する演出チャンネルが含まれており、前記演出チャンネルの再生動作は、前記特定の特殊レジスタに、前記開始指示が設定されることで開始されるよう構成されている。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
なお、本発明は、弾球遊技機に限定されず、回胴遊技機やその他の遊技機に適用するのも好適である。
【手続補正８】
【補正対象書類名】明細書
【補正対象項目名】００１３
【補正方法】変更
【補正の内容】
【００１３】
上記の通り、本発明の遊技機によれば、斬新な音声演出を円滑に実現することができる。
【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
複数種の特別遊技のうち、いずれの特別遊技に当選したのかを報知する報知演出を実行する演出実行手段と、
既に当選した特別遊技の履歴を、履歴図柄を用いて示す履歴表示手段と、
を備え、
前記報知演出として、複数種の演出が設定されており、
前記履歴表示手段が表示する前記履歴図柄は、
当選した特別遊技の種類と報知演出の種類の両方が同じであれば全体が同一の態様となり、
当選した特別遊技の種類は同じであるが異なる種類の報知演出を経た場合であれば、一部が同一の態様となる
ように設定されることを特徴とする遊技機。
【手続補正書】
【提出日】平成30年7月6日(2018.7.6)
【手続補正１】
【補正対象書類名】特許請求の範囲
【補正対象項目名】全文
【補正方法】変更
【補正の内容】
【特許請求の範囲】
【請求項１】
組み合わせによって当否判定結果を示す図柄であって、通常図柄およびこの通常図柄とは異なる特別図柄を含む識別図柄を表示する表示装置と、当否判定に関する情報であって、既に当否判定結果を報知する演出が開始されているものに対応する変動中情報、および未だ当否判定結果を報知する演出が開始されていないものに対応する一または複数の保留情報を記憶する記憶手段と、を備え、  前記記憶手段によって記憶される情報のうち、前記変動中情報に対応する当否判定結果が当たりとなることが複数の前記識別図柄から構成される当たり組み合わせが前記表示装置に表示されることにより報知されるとともに、当該当たり組み合わせの態様により前記一または複数の保留情報の少なくともいずれか一つに対応する当否判定結果が当たりとなる特別事象が発生する蓋然性が示唆されるものであり、  前記表示装置に前記当たり組み合わせとして前記通常図柄から構成される通常組み合わせが表示された場合、および、前記特別図柄から構成される特別組み合わせが表示された場合のいずれであっても、前記特別事象が発生することもあれば、発生しないこともあるように設定されており、  前記通常組み合わせが表示された場合よりも、前記特別組み合わせが表示された場合の方が、前記特別事象が発生する蓋然性が高いことを特徴とする遊技機。
【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
識別情報の可変表示を行い、遊技者にとって有利な有利状態に制御可能な遊技機であって、
識別情報を確定停止態様で表示させるまでに、識別情報を仮停止態様で表示させることが可能な表示制御手段と、
未だ開始されていない識別情報の可変表示に関する情報を保留情報として記憶可能な保留記憶手段と、
前記保留記憶手段に記憶されている保留情報に対応した保留表示を表示する保留表示手段と、
前記保留情報に基づいて、前記有利状態に制御するか否かを決定する決定手段と、
前記決定手段による決定前に、前記有利状態に制御されるか否かを判定する判定手段とを備え、
前記仮停止態様は、複数種類あり、
前記保留表示の表示態様として、通常態様と、特殊態様と、特別態様とを含み、
前記判定手段の判定結果に基づいて、保留表示を特別態様で表示する保留予告演出を実行可能な演出実行手段と、
保留表示の表示態様が変化することを示唆する示唆演出を実行する示唆演出実行手段をさらに備え、
前記示唆演出実行手段は、保留表示が特殊態様で表示されているときには、保留表示が特殊態様で表示されていないときに比べて高い頻度で示唆演出を実行する
ことを特徴とする遊技機。
【手続補正２】
【補正対象書類名】明細書
【補正対象項目名】０００９
【補正方法】変更
【補正の内容】
【０００９】
（手段Ａ）本発明による遊技機は、識別情報の可変表示を行い、遊技者にとって有利な有利状態に制御可能な遊技機であって、識別情報を確定停止態様で表示させるまでに、識別情報を仮停止態様で表示させることが可能な表示制御手段と、未だ開始されていない識別情報の可変表示に関する情報を保留情報として記憶可能な保留記憶手段と、保留記憶手段に記憶されている保留情報に対応した保留表示を表示する保留表示手段と、保留情報に基づいて、有利状態に制御するか否かを決定する決定手段と、決定手段による決定前に、有利状態に制御されるか否かを判定する判定手段とを備え、仮停止態様は、複数種類あり、
保留表示の表示態様として、通常態様と、特殊態様と、特別態様とを含み、判定手段の判定結果に基づいて、保留表示を特別態様で表示する保留予告演出を実行可能な演出実行手段と、保留表示の表示態様が変化することを示唆する示唆演出を実行する示唆演出実行手段をさらに備え、示唆演出実行手段は、保留表示が特殊態様で表示されているときには、保留表示が特殊態様で表示されていないときに比べて高い頻度で示唆演出を実行することを特徴とする。
（手段１）手段１の遊技機は、識別情報の可変表示（例えば、第１特別図柄や第２特別図柄、演出図柄の変動表示）を行う遊技機であって、未だ開始されない識別情報の可変表示について保留表示として表示する保留表示手段（例えば、合算保留記憶表示部１８ｃ）と、未だ開始されない識別情報の可変表示が遊技者にとって有利な有利状態に制御されるか否かを判定する特定判定手段（例えば、遊技制御用マイクロコンピュータ５６０がステップＳ１２１７，Ｓ１２２８を実行する部分）と、識別情報を確定停止態様で停止させるまでに、所定パターンで識別情報を動作（揺れ動作）させる仮停止態様（第１仮停止態様）で識別情報を仮停止させた後、仮停止態様よりも確定停止態様に近い態様（第２仮停止態様）で識別情報を仮停止させることが可能な仮停止制御手段（例えば、演出制御用マイクロコンピュータ１００が演出図柄を可変表示させて停止表示させるための処理を実行する部分）とを備え、保留表示の表示態様は、通常態様（本例では「○」：図４２（Ａ）参照）と、該通常態様とは異なる態様である特殊態様（本例では「○」の外側に６本の線が描かれている：図４３（Ｂ）参照）と、該通常態様および該特殊態様とは異なる態様である特別態様（本例では「○」内に「×」が含まれる：図４２（Ｂ１）参照、「○」内に「×」が２つ含まれる：図４２（Ｂ２）参照）とを含み、特定判定手段の判定結果に応じて、異なる割合で該特定判定手段の判定対象となった未だ開始されない識別情報の可変表示に対応する保留表示を特別態様で表示する保留予告演出（例えば、先読み演出）を実行可能な演出実行手段（例えば、演出制御用マイクロコンピュータ１００がステップＳ６７１０６，Ｓ６７１１４，Ｓ１８１３，Ｓ１８４５等を実行する部分。図２９（Ｂ）参照）と、通常態様の保留表示が変化することを示唆する演出と、特殊態様の保留表示が変化することを示唆する演出とを実行可能な示唆演出実行手段とをさらに備え、示唆演出実行手段は、保留表示が特殊態様で表示されているときには、保留表示が特殊態様で表示されていないときに比べて高い頻度で演出を実行し、演出実行手段は、複数のタイミング（例えば、始動入賞のタイミングや、任意のシフトタイミング、他の任意のタイミングなど）で保留表示を特別態様に変化させて表示することが可能であり、保留表示が特殊態様で表示されたとき（例えば、演出制御用マイクロコンピュータ１００がステップＳ６７１０７で先読み演出を第２先読み演出パターンで実行すると決定し、ステップＳ６７１１２を実行したとき）は、該保留表示に対応する保留記憶にもとづく可変表示が開始されるまでに該保留表示を該特殊態様から特別態様に変化させて表示する（例えば、演出制御用マイクロコンピュータ１００がステップＳ１８０３，Ｓ１８１１，Ｓ１８１３，Ｓ１８４５等を実行する部分。図３０，図３１，図４３〜図４４参照）ことを特徴とする。
【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
蓄電装置を保持する蓄電装置ホルダであって、
前記蓄電装置の底面と対向する底壁部と、
前記蓄電装置の両側面と対向する１対の側壁部と、
前記蓄電装置の背面と対向する背壁部とを備え、
前記背壁部は、前記１対の側壁部の対向方向に延在し、空気が流れる第１空気流路を形成する複数のリブを有し、
前記底壁部は、前記蓄電装置が載置されると共に前記空気が流れる第２空気流路を形成する複数の突出部分を有し、
前記第１空気流路と前記第２空気流路とは直接連通していない、蓄電装置ホルダ。
【請求項２】
前記突出部分は、前記底壁部の両端部に設けられており、
前記第２空気流路は、前記底壁部の両端部に設けられた前記突出部分の間に配置されている、請求項１記載の蓄電装置ホルダ。
【請求項３】
前記第２空気流路は、前記第１空気流路の延在方向と直交する方向に延在している、請求項１記載の蓄電装置ホルダ。
【請求項４】
前記第２空気流路は、前記第１空気流路の延在方向に沿って複数配列されており、
前記第２空気流路の幅は、前記第１空気流路の延在方向の一方側から他方側に向かうにつれて広くなっている、請求項３記載の蓄電装置ホルダ。
【請求項５】
前記背壁部は、前記１対の側壁部の対向方向と直交する方向に延在し、前記空気が流れる第３空気流路を形成する複数の他のリブを有し、
前記第１空気流路と前記第２空気流路とが前記第３空気流路を介して連通している、請求項３又は４記載の蓄電装置ホルダ。
【請求項６】
前記１対の側壁部は、前記側壁部の長手方向に沿って延在するように前記側壁部の前記背壁部側の端部を切り欠いて形成され、前記第１空気流路に対して前記空気を流入出させる開口部を有する、請求項１〜５のいずれか一項記載の蓄電装置ホルダ。
【請求項７】
前記第２空気流路は、前記第１空気流路の延在方向に延在している、請求項１記載の蓄電装置ホルダ。
【請求項８】
前記１対の側壁部は、前記側壁部の長手方向に沿って延在するように前記側壁部の前記背壁部側の端部を切り欠いて形成され、前記第１空気流路に対して前記空気を流入出させる第１開口部分と、前記第１開口部分の前記底壁部側の端部から前記側壁部における前記背壁部側とは反対側の端部に向かって延在し、前記第２空気流路に対して前記空気を流入出させる第２開口部分とを有する、請求項７記載の蓄電装置ホルダ。
【請求項９】
前記第２空気流路は、波状を有している、請求項１〜８のいずれか一項記載の蓄電装置ホルダ。
【請求項１０】
複数の蓄電装置と、
前記複数の蓄電装置をそれぞれ保持する請求項１〜９のいずれか一項記載の複数の蓄電装置ホルダと、を備える蓄電装置モジュール。
【手続補正書】
【提出日】平成29年12月18日(2017.12.18)
【手続補正１】
【補正対象書類名】特許請求の範囲
【補正対象項目名】請求項１
【補正方法】変更
【補正の内容】
【請求項１】
第１配線層と、
前記第１配線層の上面及び側面を被覆するように形成された第１絶縁層と、
前記第１絶縁層の上面に積層された第２絶縁層と、前記第２絶縁層の上面に積層された第３絶縁層とを含む複数層の絶縁層と、
前記複数層の絶縁層を貫通して形成された開口部と、
前記開口部内に搭載された電子部品と、
前記開口部を充填し、前記複数層の絶縁層の中の最上層の絶縁層の上面全面及び前記電子部品を被覆する第４絶縁層と、
前記第１配線層と電気的に接続され、前記複数層の絶縁層に内蔵された第２配線層と、
前記最上層の絶縁層及び前記第４絶縁層を貫通するビア配線を介して前記第２配線層と電気的に接続され、前記第４絶縁層の上面に積層された第３配線層と、を有することを特徴とする配線基板。
【手続補正２】
【補正対象書類名】特許請求の範囲
【補正対象項目名】請求項７
【補正方法】変更
【補正の内容】
【請求項７】
第１配線層を形成する工程と、
前記第１配線層の上面及び側面を被覆する第１絶縁層を形成する工程と、
前記第１絶縁層の上面に第２絶縁層を形成する工程と、
前記第２絶縁層の上面に、前記第１配線層と電気的に接続される第２配線層を形成する工程と、
前記第２絶縁層の上面に、前記第２配線層を被覆する第３絶縁層を形成する工程と、
前記第２絶縁層及び前記第３絶縁層を厚さ方向に貫通する開口部を形成する工程と、
前記開口部内に電子部品を搭載する工程と、
前記開口部を充填し、前記第３絶縁層の上面全面及び前記電子部品を被覆する第４絶縁層を形成する工程と、
前記第４絶縁層の上面に、前記第４絶縁層及び前記第３絶縁層を貫通するビア配線を介して前記第２配線層と電気的に接続される第３配線層を形成する工程と、を有することを特徴とする配線基板の製造方法。
【手続補正３】
【補正対象書類名】明細書
【補正対象項目名】０００８
【補正方法】変更
【補正の内容】
【０００８】
本発明の一観点によれば、第１配線層と、前記第１配線層の上面及び側面を被覆するように形成された第１絶縁層と、前記第１絶縁層の上面に積層された第２絶縁層と、前記第２絶縁層の上面に積層された第３絶縁層とを含む複数層の絶縁層と、前記複数層の絶縁層を貫通して形成された開口部と、前記開口部内に搭載された電子部品と、前記開口部を充填し、前記複数層の絶縁層の中の最上層の絶縁層の上面全面及び前記電子部品を被覆する第４絶縁層と、前記第１配線層と電気的に接続され、前記複数層の絶縁層に内蔵された第２配線層と、前記最上層の絶縁層及び前記第４絶縁層を貫通するビア配線を介して前記第２配線層と電気的に接続され、前記第４絶縁層の上面に積層された第３配線層と、を有する。
【手続補正書】
【提出日】平成29年12月18日(2017.12.18)
【手続補正１】
【補正対象書類名】特許請求の範囲
【補正対象項目名】請求項１
【補正方法】変更
【補正の内容】
【請求項１】
第１配線層と、
前記第１配線層の上面及び側面を被覆し、前記第１配線層の下面を露出する第１絶縁層と、
前記第１絶縁層の上面に積層された第２絶縁層と、
前記第２絶縁層を貫通して前記第１絶縁層の上面の一部を露出する第１開口部と、
前記第１開口部の内壁面のうち前記第１絶縁層と接する側の内壁面に、前記第１開口部の開口幅を広げるように形成された凹部と、
前記第１開口部から露出する前記第１絶縁層の上面に搭載された電子部品と、
前記第１開口部及び前記凹部を充填し、前記第２絶縁層の上面及び前記電子部品を被覆する第３絶縁層と、
前記第３絶縁層の上面に形成されたパッドと、
前記パッドを露出する第２開口部を有し、前記第３絶縁層の上面に積層されたソルダレジスト層と、を有することを特徴とする配線基板。
【手続補正２】
【補正対象書類名】特許請求の範囲
【補正対象項目名】請求項４
【補正方法】変更
【補正の内容】
【請求項４】
前記第２絶縁層は、前記第４絶縁層及び前記第５絶縁層からなり、
前記第１開口部は、前記第４絶縁層及び前記第５絶縁層を厚さ方向に貫通して形成され、
前記第１配線層と電気的に接続され、前記第１絶縁層の上面に積層された第２配線層と、
前記第２配線層と電気的に接続され、前記第４絶縁層の上面に積層された第３配線層と、を有し、
前記第４配線層は、前記第３絶縁層及び前記第５絶縁層を貫通するビア配線を介して前記第３配線層と電気的に接続されていることを特徴とする請求項３に記載の配線基板。
【手続補正３】
【補正対象書類名】特許請求の範囲
【補正対象項目名】請求項５
【補正方法】変更
【補正の内容】
【請求項５】
前記第２絶縁層は、前記第４絶縁層及び前記第５絶縁層からなり、
前記第１開口部は、前記第４絶縁層及び前記第５絶縁層を厚さ方向に貫通して形成され、
前記第１絶縁層及び前記第４絶縁層を貫通するビア配線を介して前記第１配線層と電気的に接続され、前記第４絶縁層の上面に積層された第３配線層を有し、
前記第４配線層は、前記第３絶縁層及び前記第５絶縁層を貫通するビア配線を介して前記第３配線層と電気的に接続されていることを特徴とする請求項３に記載の配線基板。
【手続補正４】
【補正対象書類名】特許請求の範囲
【補正対象項目名】請求項６
【補正方法】変更
【補正の内容】
【請求項６】
前記電子部品は、前記第１開口部から露出する前記第１絶縁層の上面に接着層により接着され、
前記接着層は、前記第２配線層と同一平面上に形成されていることを特徴とする請求項２又は４に記載の配線基板。
【手続補正５】
【補正対象書類名】特許請求の範囲
【補正対象項目名】請求項９
【補正方法】変更
【補正の内容】
【請求項９】
支持基板を準備する工程と、
前記支持基板の上面に第１配線層を形成する工程と、
前記支持基板の上面に、前記第１配線層の上面及び側面を被覆する第１絶縁層を形成する工程と、
前記第１絶縁層の上面に金属層を形成する工程と、
前記第１絶縁層の上面に、前記金属層を被覆する第２絶縁層を形成する工程と、
前記第２絶縁層を貫通して前記金属層の上面の一部を露出する第１開口部を形成する工程と、
前記金属層を除去し、前記第１開口部の内壁面のうち前記第１絶縁層と接する側の内壁面に、前記第１開口部の開口幅を広げる凹部を形成する工程と、
前記第１開口部から露出する前記第１絶縁層の上面に電子部品を搭載する工程と、
前記第１開口部及び前記凹部を充填し、前記第２絶縁層の上面及び前記電子部品を被覆する第３絶縁層を形成する工程と、
前記第３絶縁層の上面にパッドを形成する工程と、
前記支持基板を除去する工程と、
前記第３絶縁層の上面に、前記パッドを露出する第２開口部を有するソルダレジスト層を形成する工程と、を有することを特徴とする配線基板の製造方法。
【手続補正６】
【補正対象書類名】明細書
【補正対象項目名】０００６
【補正方法】変更
【補正の内容】
【０００６】
本発明の一観点によれば、第１配線層と、前記第１配線層の上面及び側面を被覆し、前記第１配線層の下面を露出する第１絶縁層と、前記第１絶縁層の上面に積層された第２絶縁層と、前記第２絶縁層を貫通して前記第１絶縁層の上面の一部を露出する第１開口部と、前記第１開口部の内壁面のうち前記第１絶縁層と接する側の内壁面に、前記第１開口部の開口幅を広げるように形成された凹部と、前記第１開口部から露出する前記第１絶縁層の上面に搭載された電子部品と、前記第１開口部及び前記凹部を充填し、前記第２絶縁層の上面及び前記電子部品を被覆する第３絶縁層と、前記第３絶縁層の上面に形成されたパッドと、前記パッドを露出する第２開口部を有し、前記第３絶縁層の上面に積層されたソルダレジスト層と、を有する。
【手続補正書】
【提出日】平成29年12月11日(2017.12.11)
【手続補正１】
【補正対象書類名】特許請求の範囲
【補正対象項目名】請求項１
【補正方法】変更
【補正の内容】
【請求項１】
配線を有する第１配線層と、
前記第１配線層の上面及び側面を被覆し、前記第１配線層の下面を露出する第１絶縁層と、
前記第１絶縁層の下面及び前記第１配線層の下面の少なくとも一方の面に積層された第２配線層と、を有することを特徴とする配線基板。
【手続補正２】
【補正対象書類名】特許請求の範囲
【補正対象項目名】請求項６
【補正方法】変更
【補正の内容】
【請求項６】
支持基板を準備する工程と、
前記支持基板の上面に、配線を有する第１配線層を形成する工程と、
前記支持基板の上面に、前記第１配線層の上面及び側面を被覆する第１絶縁層を形成する工程と、
前記支持基板を除去する工程と、
前記支持基板を除去した後に、前記第１絶縁層の下面及び前記第１配線層の下面の少なくとも一方の面に第２配線層を形成する工程と、を有することを特徴とする配線基板の製造方法。
【手続補正３】
【補正対象書類名】明細書
【補正対象項目名】０００６
【補正方法】変更
【補正の内容】
【０００６】
本発明の一観点によれば、配線を有する第１配線層と、前記第１配線層の上面及び側面を被覆し、前記第１配線層の下面を露出する第１絶縁層と、前記第１絶縁層の下面及び前記第１配線層の下面の少なくとも一方の面に積層された第２配線層と、を有する。
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
一対の電極と、前記一対の電極間に設けられた発光層を有し、
前記発光層は、ホスト材料と、ゲスト材料と、を有し、
前記ホスト材料は、一重項励起エネルギー準位と三重項励起エネルギー準位との差が０ｅＶを超えて０．２ｅＶ以下であり、
前記ゲスト材料は、蛍光を発することができる機能を有し、
前記ホスト材料の前記三重項励起エネルギー準位は、前記ゲスト材料の三重項励起エネルギー準位よりも高い発光素子。
【請求項２】
一対の電極と、前記一対の電極間に設けられた発光層を有し、
前記発光層は、ホスト材料と、ゲスト材料と、を有し、
前記ホスト材料は、室温で熱活性化遅延蛍光を示し、
前記ゲスト材料は、蛍光を発することができる機能を有し、
前記ホスト材料の前記熱活性化遅延蛍光の発光エネルギーは、前記ゲスト材料の燐光発光エネルギーよりも高い発光素子。
【請求項３】
一対の電極と、前記一対の電極間に設けられた発光層を有し、
前記発光層は、ホスト材料と、ゲスト材料と、を有し、
前記ホスト材料は、第１の有機化合物と、第２の有機化合物と、を有し、
前記第１の有機化合物と前記第２の有機化合物は、励起錯体を形成する組み合わせであり、
前記励起錯体の一重項励起エネルギー準位と三重項励起エネルギー準位との差が０ｅＶを超えて０．２ｅＶ以下であり、
前記ゲスト材料は、蛍光を発することができる機能を有し、
前記励起錯体の前記三重項励起エネルギー準位は、前記ゲスト材料の三重項励起エネルギー準位よりも高い発光素子。
【請求項４】
一対の電極と、前記一対の電極間に設けられた発光層を有し、
前記発光層は、ホスト材料と、ゲスト材料と、を有し、
前記ホスト材料は、第１の有機化合物と、第２の有機化合物と、を有し、
前記第１の有機化合物と前記第２の有機化合物は、励起錯体を形成する組み合わせであり、
前記励起錯体は、室温で熱活性化遅延蛍光を示し、
前記ゲスト材料は、蛍光を発することができる機能を有し、
前記励起錯体の前記熱活性化遅延蛍光の発光エネルギーは、前記ゲスト材料の燐光発光エネルギーよりも高い発光素子。
【請求項５】
一対の電極と、前記一対の電極間に設けられた発光層を有し、
前記発光層は、ホスト材料と、ゲスト材料と、を有し、
前記ホスト材料は、第１の有機化合物と、第２の有機化合物と、を有し、
前記第１の有機化合物と前記第２の有機化合物は、励起錯体を形成する組み合わせであり、
前記励起錯体の一重項励起エネルギー準位と三重項励起エネルギー準位との差が０ｅＶを超えて０．２ｅＶ以下であり、
前記ゲスト材料は、蛍光を発することができる機能を有し、
前記第１の有機化合物および前記第２の有機化合物の三重項励起エネルギー準位は、前記励起錯体の前記三重項励起エネルギー準位よりも高い発光素子。
【請求項６】
一対の電極と、前記一対の電極間に設けられた発光層を有し、
前記発光層は、ホスト材料と、ゲスト材料と、を有し、
前記ホスト材料は、第１の有機化合物と、第２の有機化合物と、を有し、
前記第１の有機化合物と前記第２の有機化合物は、励起錯体を形成する組み合わせであり、
前記励起錯体は、熱活性化遅延蛍光を示し、
前記ゲスト材料は、蛍光を発することができる機能を有し、
前記第１の有機化合物および前記第２の有機化合物の燐光発光エネルギーは、前記励起錯体の前記熱活性化遅延蛍光の発光エネルギーよりも高い発光素子。
【請求項７】
一対の電極と、前記一対の電極間に設けられた発光層を有し、
前記発光層は、ホスト材料と、ゲスト材料と、を有し、
前記ホスト材料は、第１の有機化合物と、第２の有機化合物と、を有し、
前記第１の有機化合物と前記第２の有機化合物は、励起錯体を形成する組み合わせであり、
前記励起錯体の一重項励起エネルギー準位と三重項励起エネルギー準位との差が０ｅＶを超えて０．２ｅＶ以下であり、
前記ゲスト材料は、蛍光を発することができる機能を有し、
前記励起錯体の前記三重項励起エネルギー準位は、前記ゲスト材料の三重項励起エネルギー準位よりも高く、
前記第１の有機化合物および前記第２の有機化合物の三重項励起エネルギー準位は、前記励起錯体の前記三重項励起エネルギー準位よりも高い発光素子。
【請求項８】
一対の電極と、前記一対の電極間に設けられた発光層を有し、
前記発光層は、ホスト材料と、ゲスト材料と、を有し、
前記ホスト材料は、第１の有機化合物と、第２の有機化合物と、を有し、
前記第１の有機化合物と前記第２の有機化合物は、励起錯体を形成する組み合わせであり、
前記励起錯体は、熱活性化遅延蛍光を示し、
前記ゲスト材料は、蛍光を発することができる機能を有し、
前記励起錯体の前記熱活性化遅延蛍光の発光エネルギーは、前記ゲスト材料の燐光発光エネルギーよりも高く、
前記第１の有機化合物および第２の有機化合物の燐光発光エネルギーは、前記励起錯体の前記熱活性化遅延蛍光の発光エネルギーよりも高い発光素子。
【請求項９】
請求項３乃至請求項８のいずれか一において、
前記第１の有機化合物の三重項励起エネルギー準位と前記第２の有機化合物の三重項励起エネルギー準位との差が０．４ｅＶ未満である発光素子。
【請求項１０】
請求項１乃至請求項９のいずれか一項において、
前記ホスト材料が１に対する前記ゲスト材料の重量比が、０より大きく０．０５以下である発光素子。
【請求項１１】
請求項１乃至請求項１０のいずれか一項に記載の発光素子と、カラーフィルタと、を有する表示装置。
【請求項１２】
請求項１１に記載の表示装置と、筐体またはタッチセンサと、を有する電子機器。
【請求項１３】
請求項１乃至請求項１０のいずれか一項に記載の発光素子と、筐体またはタッチセンサと、を有する照明装置。